(57)【要約】【課題】単純な円筒状以外の特異形状をなすにも拘わらず、持ちやすさや製造の容易性などの他の機能を損なうことのない金属缶を提供する。【解決手段】胴部２の上端部分と下端部分とがそれぞれ円筒状の上部円筒部６と下部円筒部７とされ、上部円筒部６と下部円筒部７との間の中間部に、胴部２の中心軸線方向に延びかつ胴部２の半径方向で外側に突出した線状の複数本の縦ビード９が形成され、中間部は、縦ビード９の稜線９ａが、上部円筒部６および下部円筒部７からこれらの円筒部の間の部分に向けて胴部の半径方向で内側に次第に湾曲した円弧状となるように括れており、中間部のうち最も括れている部分が最小外径部８ａとされ、縦ビード９は、隣接する縦ビードの稜線の間の部分が谷部とされ、谷部から稜線までの寸法であるビード高さが最小外径部で最も高く、かつ上部円筒部６側および下部円筒部７側で次第に低くなっている。【選択図】図１
2017214133.tif 000002
【特許請求の範囲】
【請求項１】
胴部が金属製薄板によって筒状に形成された金属缶において、
前記胴部の上端部分と下端部分とがそれぞれ円筒状の上部円筒部と下部円筒部とされ、
前記上部円筒部と前記下部円筒部との間の中間部に、前記胴部の中心軸線方向に延びかつ前記胴部の半径方向で外側に突出した線状の複数本の縦ビードが形成され、
前記中間部は、前記縦ビードの稜線が、前記上部円筒部および下部円筒部からこれらの円筒部の間の部分に向けて前記胴部の半径方向で内側に次第に湾曲した円弧状となるように括れており、
前記中間部のうち最も括れている部分が最小外径部とされ、
前記縦ビードは、隣接する縦ビードの稜線の間の部分が谷部とされ、前記谷部から前記稜線までの寸法であるビード高さが前記最小外径部で最も高く、かつ前記上部円筒部側および前記下部円筒部側で次第に低くなっている
ことを特徴とする金属缶。
【請求項２】
請求項１に記載の金属缶において、
高さが８０ｍｍ以上かつ１７０ｍｍ以下であり、
前記上部円筒部および前記下部円筒部の外径が５０ｍｍ以上かつ７０ｍｍ以下であり、
前記中間部における括れている部分の前記胴部の中心軸線方向での長さが４０ｍｍ以上かつ１２０ｍｍ以下であり、
前記縦ビードの稜線で形成される前記最小外径部における外径が、前記上部円筒部もしくは前記下部円筒部の外径の８５％以上かつ９５％以下である
ことを特徴とする金属缶。
【請求項３】
請求項２に記載の金属缶において、
前記胴部の厚さが０．１ｍｍ以上かつ０．２５ｍｍ以下であり、
前記ビード高さは、０．３ｍｍ以上かつ１．５ｍｍ以下である
ことを特徴とする金属缶。
【請求項４】
請求項２または３に記載の金属缶において、
前記縦ビードのピッチは、３．５ｍｍ以上でかつ５．５ｍｍ以下であることを特徴とする金属缶。
【請求項５】
金属製薄板からなる円筒状の胴部に外径が次第に小さくなる括れ部が形成されている金属缶の製造方法において、
外周部に回転中心軸線と平行な方向に延びかつ前記回転中心軸線方向での中間部で外径が次第に小さくなるように前記回転中心軸線に対して垂直な半径方向に後退した複数の凹条部と凸条部とが形成された中子を前記胴部の内部に挿入し、
前記凹条部に噛み込むリブ部と前記凸条部を噛み込ませる凹溝部とを有し、前記リブ部と前記凹溝部とが前記凹条部と前記凸条部との前記半径方向への後退に合わせた形状となるように前記中子に向けて突出している外型に前記胴部を前記中子によって押し付けつつ、前記胴部を前記中子とともに前記外型に沿って相対的に移動かつ回転させ、
前記凹条部および前記凸条部と前記リブ部および前記凹溝部とが互いに噛み合うことにより前記胴部に前記胴部の中心軸線方向に延びた縦ビードを形成し、かつ
前記凹条部と前記リブ部との噛み合い深さおよび前記凸条部と前記凹溝部との噛み合い深さを、前記凹条部および前記凸条部の前記半径方向に最も後退している箇所で深く、前記箇所から離れるのに従って次第に浅くすることにより、高さが次第に変化する前記縦ビードと前記括れ部とを同時に成形する
ことを特徴とする金属缶の製造方法。
【請求項６】
請求項５に記載の金属缶の製造方法において、
前記外型に設けられている前記リブ部および前記凹溝部の本数は、前記胴部に形成する前記縦ビードの本数より多く、
前記中子を挿入した前記缶胴の前記外型に沿う移動距離を前記胴部の外周の長さより長くする
ことを特徴とする金属缶の製造方法。
【請求項７】
請求項５または６に記載の金属缶の製造方法において、
前記中子に設けられている前記凸条部および前記凹条部の本数は、前記胴部に形成する前記縦ビードの本数の６０％以上かつ７０％以下であり、
前記中子を１回転より多く回転させて前記縦ビードを形成する
ことを特徴とする金属缶の製造方法。
【発明の詳細な説明】
【技術分野】
【０００１】
本発明は、金属製の薄板を素材として形成された缶に関し、特に胴部を単純な円筒状ではない特殊な形状に形成した金属缶およびその製造方法に関するものである。
【背景技術】
【０００２】
飲料缶などの金属缶は、内容物を保持して保護するための密閉性や強度を有するだけでなく、持ちやすさや開封性さらには顧客吸引力に優れた意匠性などが求められる。金属缶は胴の部分（以下、缶胴と記す）が最も目につきやすく、また缶胴を持って取り扱うのが通常であるから、従来、缶胴の形状に工夫を凝らした金属缶が種々提案されている。例えば特許文献１には、缶胴の高さ方向でのほぼ中央部に全周に亘って溝状の凹み部が形成され、その缶胴の直径が６０〜７０ｍｍ、缶胴の中心軸線方向における前記凹み部の長さが缶胴の高さの２０〜８０％、凹み部の最深部の位置が缶胴の上端から１０〜４０％下がった位置とされた金属缶が記載されている。この特許文献１に記載された金属缶は、持ちやすさと放熱による冷却効率とを向上させることを目的として構成されたものである。
【０００３】
また、特許文献２には、缶胴の高さ方向でのほぼ中央部を括れさせ、その括れた部分（括れ部）に円周方向に沿う複数条の補強ビードを形成し、かつ括れ部の最深部側で補強ビードの高さが次第に高くなるように構成したビード付缶が記載されている。この特許文献２に記載されたビード付缶は、強度の分布を均等化し、かつ缶の高さ短縮を可及的に抑制することを目的として構成されたものである。さらに、特許文献３には、缶胴を特異形状とするとともに座屈強度を向上させるように構成した金属容器が記載されている。この容器は、胴部の直径方向で対向する二箇所に、胴部の外表面から内側に後退した後退部を形成し、その後退部の内部に複数の縦ビード（胴部の中心軸線方向に沿うビード）を形成し、胴部の外表面のうちその後退部以外の部分は、円筒状の非成形部として構成されている。
【０００４】
また、円筒状とは異なる特殊形状の胴部を形成する方法が特許文献４や特許文献５に記載されている。特許文献４に記載された方法は、胴部の開口部から底部に向けて胴部に対して絞り加工を施した後、底部よりも開口部に寄った位置から開口部に到る部分に、外径を拡大する拡径加工を施し、さらにその拡径加工を施した部分のうち前記開口部側の部分に再度絞り加工を施すことにより、前記拡径加工を施した部分より底部側に絞り部を形成する方法である。また、特許文献５に記載された方法は、胴部を形成している周壁部を、アウターツールとインナーツールとによって挟み込んで、幅が小さくかつ浅い環状凹溝を形成し、さらにその環状凹溝の部分に他のアウターツールとインナーツールとによって溝加工を施して、幅が大きくかつ深さの深いビードを形成する方法である。
【先行技術文献】
【特許文献】
【０００５】
【特許文献１】特許第５２９０６３２号公報
【特許文献２】実公昭６０−４９０４号公報
【特許文献３】特開２０１４−６１９１９号公報
【特許文献４】特許第４２１７９９２号公報
【特許文献５】特公昭６２−１１９３４号公報
【発明の概要】
【発明が解決しようとする課題】
【０００６】
特許文献１に記載された金属缶は、缶胴のほぼ中央部が窪んでいるので、金属缶を掴んだ指が上下方向には滑り難く、この点では、持ちやすい金属缶とすることができる。しかしながら、凹み部は円周方向には滑らかなために、缶胴が結露などによって濡れていた場合には、凹み部を掴んだ指が円周方向に滑りやすく、この点では掴みにくい（持ちにくい）金属缶になってしまう可能性がある。また、凹み部は缶胴の表面積を増大させるように作用するので、内容物と外部との熱交換が促進され、内容物を冷却する場合には冷却効率が良好になる。その反面、内容物の温度が高い場合には、外部に対する放熱が促進され、そのため、例えば凹み部を掴んだ指に伝わる熱量が多くなってその金属缶を持つ人が熱い思いをしたり、金属缶を持つことができない場合が多くなるなどの可能性がある。
【０００７】
また、特許文献２に記載された缶にあっては、缶胴の全周に亘って括れている箇所に、いわゆる横ビードを形成してあるから、缶胴の形状が特殊なものになる。しかしながら、特許文献２に記載されている構成では、缶胴の一部にいわゆる蛇腹を設けたのと同様な構造になるので、缶胴の中心軸線方向（上下方向）に対する剛性もしくは強度が低くなってしまう。そのため、例えば缶蓋を取り付けるシーマーでのリフター圧に耐えられずに変形してしまう可能性があり、そのような変形を防ぐためには缶胴の板厚を厚くせざるを得ないなどの課題が生じる。また、横ビードは、円周方向に延びているから、缶胴を掴んだ指が上下方向には滑り難いとしても、円周方向には滑りやすく、この点で持ちにくい缶になってしまう。さらに、缶胴の表面にバーコードを付するとした場合、リーダーとの距離の変化を可及的に少なくするために、各バーを缶胴の軸線方向（上下方向）に平行に並べて付することになるが、特許文献２に記載された構成では、横ビードにバーコードが掛かってしまうと、バーコードを正確に読み取れない場合が生じる。
【０００８】
さらに、特許文献３に記載された金属容器では、缶胴の外周の一部（直径方向で対向する二箇所）に後退部を形成してあるから、見る方向によって金属容器（もしくは缶胴）の形状あるいは見え方が異なることになる。すなわち、方向性のある構造になってしまう。そのため、非成形部を指で掴んで金属容器を持つこともあり、その場合には、単純な円筒状部分を掴むことになるために指が滑りやすく、持ちにくい容器となってしまう。また、胴部の外表面は縦ビードのある後退部と、円筒状の非成形部との二種類が存在するから、商品表示や装飾などの印刷を施す箇所を後退部と非成形部とのいずれか、あるいはそれらの境界部などに特定する必要が生じ、そのため、印刷や後退部の加工などを行う際に金属容器の姿勢（向き）を逐一、割り出さなくてはならないなど、製造作業性に難点がある。
【０００９】
一方、特許文献４に記載されている方法では、外径を縮小する絞り加工と外径を増大させる拡径加工とを行うから、胴部の内面が擦られて金属面が部分的に露出してしまう可能性がある。また、特許文献５に記載された方法では、幅が狭く、かつ浅い凹溝を形成する加工と、幅が広く、かつ深いビードを形成する加工との二つの加工を行うことになるので、工数が多くなり、また設備が大型化もしくは複雑になるなどの課題がある。
【００１０】
本発明は上記の事情を背景としてなされたものであって、単純な円筒状以外の特異形状をなすにも拘わらず、持ちやすさや製造の容易性などの他の機能を損なうことのない金属缶およびその製造方法を提供することを目的とするものである。
【課題を解決するための手段】
【００１１】
上記の目的を達成するために、請求項１の発明は、胴部が金属製薄板によって筒状に形成された金属缶において、前記胴部の上端部分と下端部分とがそれぞれ円筒状の上部円筒部と下部円筒部とされ、前記上部円筒部と前記下部円筒部との間の中間部に、前記胴部の中心軸線方向に延びかつ線状に盛り上がっている複数本の縦ビードが形成され、前記中間部は、前記縦ビードの稜線が、前記上部円筒部および下部円筒部からこれらの円筒部の間の部分に向けて前記胴部の半径方向で内側に次第に湾曲した円弧状となるように括れており、前記中間部のうち最も括れている部分が最小外径部とされ、前記縦ビードは、隣接する縦ビードの稜線の間の部分が谷部とされ、前記谷部から前記稜線までの寸法であるビード高さが前記最小外径部で最も高く、かつ前記上部円筒部側および前記下部円筒部側で次第に低くなっていることを特徴とするものである。
【００１２】
本発明においては、高さが８０ｍｍ以上かつ１７０ｍｍ以下であり、前記上部円筒部および前記下部円筒部の外径が５０ｍｍ以上かつ７０ｍｍ以下であり、前記中間部における括れている部分の前記胴部の中心軸線方向での長さが４０ｍｍ以上かつ１２０ｍｍ以下であり、前記縦ビードの稜線で形成される前記最小外径部における外径が、前記上部円筒部もしくは前記下部円筒部の外径の８５％以上かつ９５％以下であってよい。
【００１３】
また、本発明においては、前記胴部の厚さが０．１ｍｍ以上かつ０．２５ｍｍ以下であり、前記ビード高さは、０．３ｍｍ以上かつ１．５ｍｍ以下であってよい。
【００１４】
さらに本発明では、前記縦ビードのピッチは、３．５ｍｍ以上でかつ５．５ｍｍ以下であってよい。
【００１５】
一方、本発明の方法は、金属製薄板からなる円筒状の胴部に外径が次第に小さくなる括れ部が形成されている金属缶の製造方法において、外周部に回転中心軸線と平行な方向に延びかつ前記回転中心軸線方向での中間部で外径が次第に小さくなるように前記回転中心軸線に対して垂直な半径方向に後退した複数の凹条部と凸条部とが形成された中子を前記胴部の内部に挿入し、前記凹条部に噛み込むリブ部と前記凸条部を噛み込ませる凹溝部とを有し、前記リブ部と前記凹溝部とが前記凹条部と前記凸条部との前記半径方向への後退に合わせた形状となるように前記中子に向けて突出している外型に前記胴部を前記中子によって押し付けつつ、前記胴部を前記中子とともに前記外型に沿って相対的に移動かつ回転させ、前記凹条部および前記凸条部と前記リブ部および前記凹溝部とが互いに噛み合うことにより前記胴部に前記胴部の中心軸線方向に延びた縦ビードを形成し、かつ前記凹条部と前記リブ部との噛み合い深さおよび前記凸条部と前記凹溝部との噛み合い深さを、前記凹条部および前記凸条部の前記半径方向に最も後退している箇所で深く、前記箇所から離れるのに従って次第に浅くすることにより、高さが次第に変化する前記縦ビードと前記括れ部とを同時に成形することを特徴とする方法である。
【００１６】
本発明の方法では、前記外型に設けられている前記リブ部および前記凹溝部の本数は、前記胴部に形成する前記縦ビードの本数より多く、前記中子を挿入した前記缶胴の前記外型に沿う移動距離を前記胴部の外周の長さより長くしてよい。
【００１７】
また、本発明の方法では、前記中子に設けられている前記凸条部および前記凹条部の本数は、前記胴部に形成する前記縦ビードの本数の６０％以上かつ７０％以下であり、前記中子を１回転より多く回転させて前記縦ビードを形成することができる。
【発明の効果】
【００１８】
請求項１の発明によれば、胴部のうち上下の円筒部の間の部分が全周に亘って括れており、その括れた部分に複数本の縦ビードが形成されているので、外観が特異な形状を呈し、意匠性に優れ、もしくは購買者の注意もしくは視線を惹き付ける機能に優れている。特に請求項１の発明では、縦ビードの高さが、最小外径部で高くなっているので、外径が絞られることによるいわゆる余肉が縦ビードによって十分に吸収され、括れ形状や縦ビードの形状を滑らかな形状とすることができる。また、括れおよび縦ビードは胴部の全周に亘って形成されているので、胴部あるいは金属缶全体としてのいわゆる方向性が生じない。そのため、胴部の印刷や金属缶の陳列に制約がなくなり、製造時における金属缶もしくはその金属缶に内容物を充填した製品の取り扱いあるいはハンドリングが容易になる。さらに、胴部が括れていることにより、胴部を掴んだ指の上下方向の滑りが抑制され、かつ縦ビードが形成されていることにより、胴部を掴んだ指の円周方向の滑りが抑制されるので、手で持ちやすい金属缶とすることができる。胴部を掴んだ指は、縦ビードの稜線に接触し、胴部と指との接触面積が小さくなるので、指から胴部に対する熱の伝達が抑制されて金属缶の内容物が温まりにくく、また反対に金属缶の温度が高い場合、指に対する熱の伝達が抑制されて購買者が熱い思いをしにくくなる。そして、バーコードのバーを缶胴の中心軸線方向に並べて印刷する場合、バーコードが縦ビードに掛かるとしても、いずれかのバーが縦ビードの間に埋もれてしまうことがないので、バーコードの読み取りに支障のない金属缶とすることができる。さらにまた、胴部が全周に亘って括れているとしても、括れている箇所の全体に縦ビードが形成されているので、座屈強度の低下を抑制することができる。
【００１９】
請求項２の発明によれば、括れている箇所の最小外径が、上部円筒部もしくは下部円筒部の外径すなわち括れ部分の元の外径の９５％以下であるから、胴部の括れすなわち特異形状を確実もしくは強く認識させることができ、また元の外径の８５％以上であるから、胴部に施した印刷画像の視認性が損なわれることを回避もしくは抑制することができる。
【００２０】
請求項３の発明によれば、ビードの高さは最も低くても０．３ｍｍとしたので、明瞭に視認できる縦ビードとすることができ、またビードの高さは最も高くても１．５ｍｍとしたので、胴部の破断や亀裂などのない縦ビードを加工することが容易になり、製造性の良い金属缶とすることができる。
【００２１】
請求項４の発明によれば、縦ビードのピッチを３．５ｍｍ以上でかつ５．５ｍｍ以下としたので、縦ビードが視覚的に明瞭になるとともに、成形時に過度なコイニングなどが生じないので、亀裂や破断などの異常が生じにくくなる。
【００２２】
一方、請求項５の方法によれば、胴部を括れさせると同時に縦ビードを形成することができるので、金属缶を製造する工程数を少なくすることができ、また胴部の内面の塗装被膜を損傷することを防止もしくは抑制することができる。また、最も大きく括れさせる箇所における前記凹条部と前記リブ部との噛み合い深さおよび前記凸条部と前記凹溝部との噛み合い深さを深くするので、括れに伴ういわゆる余肉をビード加工によって吸収して、形状に乱れのない括れ形状およびビード形状に加工することができる。
【００２３】
特に請求項６の方法によれば、胴部を１回転以上回転させて縦ビードの加工を行うので、加工開始部分での縦ビードを二回加工することになり、その部分の加工不足もしくは加工不良を回避もしくは抑制することができる。
【００２４】
そして、請求項７の方法によれば、中子を胴部より小径にすることができるので、胴部に対する中子の出し入れが容易であり、また中子を１回転以上回転させた場合に、既に形成されている縦ビードと凸条部および凹条部とのピッチの差異を小さくして、安定して縦ビードを加工することができる。
【図面の簡単な説明】
【００２５】
【図１】本発明に係る金属缶の一例を示す正面図である。
【図２】図１のII−II線に沿う断面図である。
【図３】図１のIII−III線に沿う断面図である。
【図４】実施例１ないし３および比較例１および２についての括れの評価を行った結果をまとめて示す図表である。
【図５】縦ビードの高さが最も小さい箇所を説明するための図であって、（ａ）は縦ビードの端部を示し、（ｂ）は（ａ）のＢ−Ｂ線に沿う矢視図である。
【図６】実施例４ないし６および比較例３および４についての縦ビードの仕上がりの評価を行った結果をまとめて示す図表である。
【図７】実施例７ないし９および比較例５および６についての括れの評価を行った結果をまとめて示す図表である。
【図８】本発明の実施例による金属缶と通常缶とについて手に持った際の熱さおよび持ちやすさを官能テストした結果をまとめて示す図表である。
【図９】本発明の実施例での方法を実施した場合の形状の変化の一例を示す図である。
【図１０】中子と外型とによって縦ビードおよび括れ部を加工している過程を説明するための模式図である。
【図１１】印刷粗形材の周壁部を中子と外型との間に挟み込んでいる状態を模式的に示す図である。
【図１２】中子の一例を示す正面図である。
【図１３】外型の一例を示す側面図である。
【図１４】印刷粗形材を外型で成形している状態を示す説明図である。
【図１５】括れ部における上端側もしくは下端側での中子における凹条部および凸条部と外型におけるリブ部および凹溝部との噛み合い状態を示す部分断面図である。
【図１６】括れ部における最小外径部もしくはその近傍での中子における凹条部および凸条部と外型におけるリブ部および凹溝部との噛み合い状態を示す部分断面図である。
【発明を実施するための形態】
【００２６】
本発明に係る金属缶１は、少なくとも胴部が金属製薄板で形成された容器であり、金属製のツーピース缶、金属製のスリーピース缶、金属製のリシール缶が典型的な例である。したがって、素材はスチールやアルミニウムあるいはアルミニウム合金などである。図１は本発明の実施例である飲料用ツーピース缶であり、胴部２と底部３とが一体に形成されたＤＩ缶（絞り・しごき加工によって成形した缶）である。ツーピース缶の場合、底部３は内部に向けて凸なるドーミング加工が施され、スリーピース缶の場合、平板状の底蓋によって形成される。
【００２７】
胴部２の上端部には缶蓋（図示せず）を取り付けるためのフランジ部４が形成されている。フランジ部４に続く下側の部分は、フランジ部４に向けて外径が次第に小さくなるようにネックイン加工されたネックイン部５となっている。ネックイン部５に続く下側の部分と底部３より上側の部分とが円筒状に形成され、これらの部分が上部円筒部６と下部円筒部７となっている。これら上部円筒部６と下部円筒部７とは同一の外径であってよく、あるいは異なる外径であってもよい。
【００２８】
上部円筒部６と下部円筒部７との間の部分は、外径がこれらの円筒部６，７より小さい括れ部８とされている。括れ部８は、胴部２の全周に亘って形成され、括れ部８の中心軸線に沿う方向での中間部に向けて外径が次第に小さくなる部分である。この括れ部８には、中心軸線方向（もしくは胴部２の母線）に沿う複数の縦ビード９が形成されている。縦ビード９は括れ部８の外表面側に線状に盛り上がった部分であり、稜線９ａが胴部２の中心軸線方向においては直線状をなし、胴部２の半径方向においては胴部２の内部に向けて滑らかに凸となった（胴部２の外表面から内側に滑らかに窪んだ）円弧状をなしている。
【００２９】
稜線９ａが括れ部８の外径を形成しており、胴部２の直径方向で最も遠い縦ビード９の稜線９ａ同士の間隔（縦ビード９の本数が奇数の場合）もしくは直径上で互いに対向する稜線９ａ同士の間隔（縦ビード９の本数が偶数の場合）が括れ部８の外径である。括れ部８の外径は、図２および図３に示すように、括れ部８の中心軸線方向での中間部で最小になっている。その最小外径部８ａの位置は、括れ部８の中心軸線方向での中央部より幾分下側の位置であり、胴部２の中心軸線方向での中央部より幾分下側の位置になっている。最小外径部８ａをそのように中心軸線方向において中央部より幾分下側に設定しているのは、コップなどの飲料用容器に似た形状とするためである。
【００３０】
稜線９ａと挟んだ両側の谷部９ｂから稜線９ａまでの寸法が縦ビード９の高さＨｂであり、縦ビード９の高さＨｂは図２および図３に示すように、前述した上部円筒部６および下部円筒部７側で最も低く、最小外径部８ａで最も高くなるように次第に変化している。なお、稜線９ａおよび谷部９ｂの断面形状は、図２や図３に示すように、丸みのある形状となっている。
【００３１】
本発明の実施例における金属缶１は、胴部２の板厚が０．１ｍｍ以上かつ０．２５ｍｍ以下であり、胴部２の外径（前述した上部円筒部６や下部円筒部７の外径）が５０ｍｍ以上かつ７０ｍｍ以下の金属缶である。高さＨは８０ｍｍ以上かつ１７０ｍｍ以下である。金属缶１の高さＨは、図１に示すツーピース缶や図示しないスリーピース缶の場合、底部３からフランジ部４までの高さであり、リシール缶の場合は底部から雄ネジが形成される口頸部の下端部までの高さである。また、括れ部８の長さ（上下方向での長さ）Ｌは、４０ｍｍ以上かつ１２０ｍｍ以下である。これは、金属缶１のデザインに基づいて決められる。括れ部８は、胴部２の外径を小さくする加工によって変形した部分であるから、その長さＬは、そのような変形が生じた箇所の、胴部２の中心軸線方向での長さとしてよい。したがって、積極的な加工を施していなくても括れ部８の加工に伴って括れ部８の上端部や下端部に生じる変形の痕跡のある箇所（例えば、いわゆるダレとして生じる変形箇所）が長さＬの端部であってよい。
【００３２】
〈括れ部の最小外径について〉
括れ部８の最小外径部８ａの外径Ｄminは、括れ加工前の元の外径、すなわち上部円筒部６や下部円筒部７の外径Ｄ０より小さく、その直径の比率（直径比率）は８５％以上でかつ９５％以下である。これは、下記の実験の結果に基づいている。元板厚が０．３ｍｍの３００４材アルミニウム合金材を使用して絞りしごき加工により、缶径が６６ｍｍ、高さが１２３．５ｍｍ、壁厚が０．１０５ｍｍに成形した後、印刷および乾燥を行ったツーピースＤＩ缶に上述した縦ビード９を４２本形成し、かつ括れ部８を形成した。括れ部８の最小外径（括れ直径）を、６３ｍｍ（比較例１）、６２ｍｍ（実施例１）、６０ｍｍ（実施例２）、５７ｍｍ（実施例３）、５３ｍｍ（比較例２）とし、括れ部８についての視覚による評価を行った。結果を図４に図表で示してある。
【００３３】
比較例１は、括れ部８の最小外径（括れ直径）が加工前の元の直径の９５．５％であり、前述した上部円筒部６や下部円筒部７の直径との差異が僅かであり、括れ部８が形成されているようには見えず、括れの印象は不可（×）であった。これに対して実施例１ないし３は、いずれも括れ部８の最小外径（括れ直径）が加工前の元の直径の８５％以上でかつ９５％以下の範囲に入っており、括れていることを明確に見て取ることができ、特に実施例２の形状は、設計上想定した形状に最も近く、したがって各実施例１〜３についての括れの印象は可（○）であった。なお、比較例２では、最小外径部８ａにおける縦ビード９が密になってしまって縦ビード９の印象が強くなりすぎ、また括れ部８に施されている印刷模様もしくは印刷文字の変形が大きくなって金属缶１としてのデザインに対する影響が大きく、したがって括れの印象は不可（×）であった。結局、８５％よりも小さいと、胴部２（括れ部８）に施した印刷文字もしくは印刷模様が見にくくなり、印刷の視認性が悪化する。また、９５％より外径が大きいと、胴部２の括れの印象が弱くなり、形状の特異性を購買者に印象づけることが難しくなる。
【００３４】
〈縦ビードの高さ（深さ）について〉
縦ビード９の高さ（深さ）Ｈｂは前述したように谷部９ｂから稜線９ａまでの寸法であり、最も小さくても０．３ｍｍであり、また最も大きくても１．５ｍｍである。なお、最も低い部分は上部円筒部６側や下部円筒部７側のいわゆる端部であり、最も高い部分は最小外径部８ａの部分であり、縦ビード９の高さ（深さ）Ｈｂはこの範囲で、上部円筒部６側および下部円筒部７側の端部から最小外径部８ａの箇所に向けて次第に変化している。なお、縦ビード９の高さＨｂの最も小さい箇所は、図５の（ａ）および（ｂ）に示すように、稜線９ａの端部に対応する箇所である。稜線９ａは、両側を窪ませて谷部９ｂを形成することにより谷部９ｂの間に生じる部分であり、その谷部９ｂを窪ませる場合、図の上下の両端部には、谷部９ｂの成形に伴って（あるいは引き摺られて）次第に凹む部分が生じる。その凹んだ部分の輪郭が一致もしくは交わる部分が稜線９ａとなる。このように稜線９ａの端部より上側や下側に、次第に窪んでいる部分が存在するが、その次第に窪んでいる部分に対応する稜線９ａが存在しないので、この発明の実施例においては、縦ビード９の高さＨｂの最も小さい箇所は、稜線９ａの端部に対応する箇所とし、その箇所の高さＨｂを最も小さい高さとしている。縦ビード９の高さ（深さ）Ｈｂを上記の範囲に設定したのは、下記の実験の結果に基づいている。上述したＤＩ缶に等ピッチの縦ビードを４２本形成し、ビードの深さを、０．２ｍｍ（比較例３）、０．３ｍｍ（実施例４）、０．６ｍｍ（実施例５）、１．５ｍｍ（実施例６）、１．６ｍｍ（比較例４）とし、ビードの仕上がりについて視覚による評価を行った。結果を図６に図表で示してある。
【００３５】
比較例３は縦ビードの深さが上記の範囲外であり、上部円筒部６側や下部円筒部７側の端部のビード形状が明確に視認することができず、成形不良のようにも見え、ビードの仕上がりの印象は不可（×）であった。これに対して実施例４〜６は、いずれもビード深さが上記の範囲内であり、縦ビード９をその上下の端部を含めて、全体的に明瞭に視認することができ、ビードの仕上がりの印象は可（○）であった。比較例４は、ビード深さが上記の範囲外であって過度に深く、しかも最も括れている箇所でビード深さが深くなっているので、印刷模様もしくは印刷文字が過度に畳まれた状態になり、印刷デザインが見にくくなってしまう。したがって、比較例４についてのビードの仕上がりの印象は不可（×）であった。結局、縦ビード９の高さＨｂは０．３ｍｍ以上でかつ１．５ｍｍ以下とする。こうすることにより、縦ビード９の高さが最も低い部分は、前述した上部円筒部６側や下部円筒部７側の部分であって、この部分の高さＨｂが最小でも０．３ｍｍであるから、明瞭に視認できる縦ビード９とすることができる。また、縦ビード９の最大高さが１．５ｍｍ以下であるから、縦ビード９の明瞭性を確保した状態で、胴部２の素材の変形や引っ張りなどが過剰にならないので、胴部２（括れ部８）の亀裂や破断などの損傷を生じさせることなく括れ部８や縦ビード９を加工でき、製造性の良好な金属缶１とすることができる。また、縦ビード９の高さＨｂが最も高い位置は、前述した最小外径部８ａの位置であり、したがって括れ量の多い箇所における余肉あるいは外径の減少を縦ビード９によって吸収し、不要なシワやビードの変形などのない金属缶１となる。
【００３６】
〈縦ビードのピッチおよび本数について〉
胴部２あるいは括れ部８の外径が上記のように決まっているので、縦ビード９のピッチＰを広くすれば、縦ビード９の本数が少なくなり、反対にピッチＰを狭くすることにより本数を多くすることができる。そこで、縦ビード９のピッチＰは、本発明の実施例では、３．５ｍｍ以上でかつ５．５ｍｍ以下とされている。これは、以下の実験の結果に基づいている。上述したＤＩ缶の括れ部８に形成する縦ビード９のピッチＰを、３．３ｍｍ（本数６３：比較例５）、３．５ｍｍ（本数５９：実施例７）、４．９ｍｍ（本数４２：実施例８）、５．５ｍｍ（本数３８：実施例９）、５．７ｍｍ（本数３６：比較例６）とし、ビードの仕上がりについて視覚による評価を行った。結果を図７に図表で示してある。
【００３７】
比較例５では、縦ビード９が細かく、縦ビード９を視認しにくく、縦ビード９の印象が薄れる。また、縦ビード９が細い凸条部となるので、縦ビード９の高さ（深さ）Ｈｂを大きくすることができず、敢えて大きくするとすれば、破断や亀裂が生じる可能性が高くなる。そのため、ピッチＰが狭いことに伴って縦ビード９の高さＨｂが低くなって壁部の折りたたみ量（余肉の吸収量）が小さくなるので、括れ部８の最小外径を小さくすることが困難になり、括れの印象（形状の特異性）が乏しくなる。したがって、ピッチＰが３．５ｍｍではビード仕上がりの印象は不可（×）であった。これに対して実施例７〜９は、いずれもピッチＰが３．５ｍｍ以上でかつ５．５ｍｍ以下の範囲内であり、ビードを明瞭に視認できるうえに、括れ部８の最小外径を必要十分に小さくすることができる。したがって、ビード仕上がりの印象は可（○）であった。比較例６では、縦ビード９のピッチＰが広く、そのために縦ビード９の高さ（深さ）Ｈｂが大きくなり、縦ビード９の印象は粗い「ゴツゴツ」感の強いものとなってしまい、ビード仕上がりの印象は不可（×）であった。なお、縦ビード９のピッチＰを広くし、かつ高さ（深さ）Ｈｂを小さくすると、ビードの断面形状がいわゆる末広がりの形状になってビードあるいは稜線がボケた印象になる。
【００３８】
上述した本発明の実施例による金属缶１にあっては、上述したように、明瞭な縦ビード９および括れ部８を形成することができ、購買者の注意を好感をもって惹くことのできる金属缶とすることができ、そればかりか、括れ部８の最小外径を十分に小さくすることができるので、金属缶１を掴んだ指が上下方向に滑ることを防止もしくは抑制でき、かつビードが縦ビード９であって全周に亘って形成されているので、指が周方向に滑ることを防止もしくは抑制することができる。すなわち、金属缶１がたとえ濡れていても確実に掴むことができ、持ちやすい金属缶とすることができる。また、縦ビード９は全周にほぼ等間隔に形成されているので、円周方向のいずれの箇所から見てもほぼ同一形状に見えることにより金属缶１に方向性がなく、したがって製造時や陳列の際に金属缶１の向きを調整するなどの必要がなく、その点で製造性あるいはハンドリング性が良好になる。さらに、金属缶１を掴んだ指は、縦ビード９の稜線に接触することになり、その接触面積が小さいので、指の熱が金属缶１に伝わりにくく、また内容物の熱が指に伝わりにくく、したがって内容物が温まってしまったり、あるいは指が熱くなるなどの事態を防止もしくは抑制することができる。
【００３９】
図８は、把持のし易さおよび熱さの官能テストの結果を示しており、縦ビード９の本数を４２本、括れ部８の最小外径を５８ｍｍ、縦ビード９の最大高さ（深さ）を１．１ｍｍとし、他の条件を上述した金属缶１と同様とした例（ビード缶）と、括れ部８および縦ビード９を形成していない通常缶とについての結果を示している。
【００４０】
本発明の実施例であるビード缶については、１０名のモニターの全員が通常缶に比較して持ちやすさを認めた。また、９名のモニターがビード缶では熱さが和らぐことを認めた。
【００４１】
そして、上述した金属缶１によれば、バーコードのバーが胴部２の中心軸線と平行な方向に並ぶように括れ部８に印刷されていた場合であっても、バー同士の間隔が特には変化しないので、バーコードの読み取りに支障のない金属缶とすることができる。なおまた、上述した金属缶１では胴部２に括れ部８が形成されているだけでなく、括れ部８に多数の縦ビード９が形成されているから、括れ部８を形成することに伴う座屈強度の低下が縦ビード９によって抑制されている。
【００４２】
つぎに上述した金属缶１の製造方法を説明する。図９は本発明の実施例の方法を実施した場合の形状の変化の過程を示しており、図示しないブランク（金属薄板）を絞りしごき加工することにより、図９の（ａ）に示す粗形材１０Ａを作成する。また、底部３にはドーミング加工を施す。その絞りしごき加工やドーミング加工は、従来知られている方法であってよい。ついで粗形材１０Ａの表面に印刷１１を施して印刷粗形材１０Ｂとする（図９の（ｂ）参照）。その印刷の方法は従来知られている方法であってよい。なお、スリーピース缶の場合には、印刷の施された金属板を円筒形状に成形および溶接し、その一方の開口端に蓋を取り付けて印刷粗形材とする。
【００４３】
印刷粗形材１０Ｂの胴部２に、上部円筒部６および下部円筒部７を残してビード加工を施し、図９の（ｃ）に示すビード粗形材１０Ｃとする。ビード加工は、図１０および図１１に示すように、中子１２を印刷粗形材１０Ｂに挿入し、その状態で中子１２によって印刷粗形材１０Ｂを外型１３に押し付け、中子１２および印刷粗形材１０Ｂと外型１３との少なくともいずれか一方に対して相対的に移動させつつ回転させて行う。
【００４４】
図１２は中子１２の一例を示しており、中子１２は印刷粗形材１０Ｂの内部に挿入できるように印刷粗形材１０Ｂの内径（前述した上部円筒部６や下部円筒部７の内径）より小さい外径で、かつ金属缶１に付与すべき括れ部８に対応する形状の括れ部１２ａを有するほぼ鼓形をなしている。括れ部１２ａの上側および下側の部分は、共に、円柱軸状もしくは円筒軸状になっている。括れ部１２ａには、前述した縦ビード９を形成するための凹条部１２ｂと凸条部１２ｃとが複数本形成されている。
【００４５】
凹条部１２ｂは縦ビード９の谷部９ｂを成形するためのものであり、凸条部１２ｃは縦ビード９の間の稜線９ａを成形するためのものである。これらの凹条部１２ｂおよび凸条部１２ｃは中子１２の中心軸線と平行な方向には直線状になっている。また、凸条部１２ｃは中子１２の半径方向には、中子１２の中心に向けて滑らかに窪んだ円弧状になっている。その円弧形状は、金属缶１に形成するべき縦ビード９の形状とほぼ一致する形状である。凹条部１２ｂの底部を中子１２の一定半径の位置とすることにより、凸条部１２ｃの高さは、中心軸線方向での上端側と下端側とで高く、前述した最小外径部８ａに対応する位置で最も低くなっている。
【００４６】
したがって、各凹条部１２ｂ同士の間隔であるピッチあるいは各凸条部１２ｃ同士の間隔であるピッチは、金属缶１に形成するべき縦ビード９のピッチＰに一致している。これに対して中子１２は印刷粗形材１０Ｂの内部に挿入できる外径であって印刷粗形材１０Ｂの外径より小さいから、各凹条部１２ｂおよび凸条部１２ｃの本数は、金属缶１に形成すべき縦ビード９の本数より少なくなっている。本発明の実施例では、中子１２における凹条部１２ｂおよび凸条部１２ｃの本数は、金属缶１に形成するべき縦ビード９の本数の６０％以上でかつ７０％以下である。６０％より少ないと中子１２が細くなり、軸線方向での一方側のみで回転可能に支持するいわゆる片持ち状では中子１２の剛性が不足して縦ビード９のピッチＰが狂うなどの不都合が生じる可能性がある。また、７０％より多いと、中子１２が太くなり、括れ部８を形成した状態の金属缶１からの抜き取りが困難になる可能性が高くなる。
【００４７】
外型１３は平板状の基板部１３ａを備え、その基板部１３ａのうち中子１２を向く面に複数のリブ部１３ｂとリブ部１３ｂの間の部分である凹溝部１３ｃとが一定間隔で互いに平行に形成されている。リブ部１３ｂは縦ビード９における谷部９ｂの部分を成形するためのものであり、前述した中子１２における凹条部１２ｂに先端部を入り込ませるように構成されている。また、凹溝部１３ｃは縦ビード９における稜線９ａを成形するための逃げ溝であって、前述した中子１２における凸条部１２ｃの先端部を入り込ませるように構成されている。これらリブ部１３ｂおよび凹溝部１３ｃは、前述した縦ビード９を成形すると同時に前記括れ部８を成形するように構成されている。すなわち、リブ部１３ｂおよび凹溝部１３ｃは、基板部１３ａの上下方向には直線状になっており、基板部１３ａの厚さ方向（中子１２側を向く面に垂直な方向）には、図１３に示すように、金属缶１に形成するべき括れ部８の円弧形状にほぼ一致する円弧状になっている。そして、リブ部１３ｂの高さ（凹溝部１３ｃの底部からリブ部１３ｂの稜線までの寸法）は、縦ビード９の上端側および下端側で低く、前記最小外径部８ａに対応する箇所で最も高くなるように、上下方向で次第に変化している。
【００４８】
各リブ部１３ｂおよび各凹溝部１３ｃのピッチは、金属缶１に形成するべき縦ビード９のピッチＰに一致している。また、各リブ部１３ｂおよび各凹溝部１３ｃの本数は、金属缶１に形成するべき縦ビード９の本数より多くなっている。印刷粗形材１０Ｂが外型１３に押し付けられて最初に形成される一本もしくは数本の縦ビード９の形状を正確にするために、これらの縦ビード９を外型１３と中子１２とで２回成形加工することが好ましい。そこで、印刷粗形材１０Ｂを外型１３に対して１回転以上回転させ、かつその間に縦ビード９の成形を行うために、各リブ部１３ｂおよび各凹溝部１３ｃの本数を、金属缶１に形成するべき縦ビード９の本数より多くしてある。縦ビード９より多い本数は、１〜４本程度であり、より好ましくは２本である。
【００４９】
上記の中子１２を印刷粗形材１０Ｂに挿入し、中子１２を外型１３に接近させて印刷粗形材１０Ｂの外周壁を中子１２と外型１３との間に挟み込む。その場合、中子１２を外型１３に接近させる以外に、外型１３を中子１２に接近させてもよい。印刷粗形材１０Ｂを中子１２と外型１３との間に挟み込んだ状態で、中子１２と外型１３とを中子１２の中心軸線に対して垂直な方向に相対的に移動させる。このような相対移動は、中子１２を外型１３に沿って移動させることにより行ってもよく、あるいは中子１２は回転可能に保持しておくだけで、外型１３を図１０の矢印方向に移動させることにより行ってもよい。
【００５０】
中子１２と外型１３との相対距離は、中子１２における凹条部１２ｂおよび凸条部１２ｃと外型１３におけるリブ部１３ｂおよび凹溝部１３ｃとが互いに噛み合う距離である。したがって、中子１２と外型１３とを上記のように相対移動させることにより中子１２および印刷粗形材１０Ｂが外型１３に沿って移動しつつ回転する。外型１３に設けられているリブ部１３ｂは、前述したように、中子１２に向けて円弧状に突出しているので、印刷粗形材１０Ｂの胴の部分が図１４に示すように内側に窪まされ、括れ部８が形成される。また、中子１２における凹条部１２ｂおよび凸条部１２ｃと外型１３におけるリブ部１３ｂおよび凹溝部１３ｃとが順次噛み合うので、括れ部８に縦ビード９が形成される。
【００５１】
縦ビード９は、中子１２における凹条部１２ｂおよび凸条部１２ｃと外型１３におけるリブ部１３ｂおよび凹溝部１３ｃとの形状および噛み合い深さに応じた形状となる。図１５は括れ部８における上端側もしくは下端側での中子１２における凹条部１２ｂおよび凸条部１２ｃと外型１３におけるリブ部１３ｂおよび凹溝部１３ｃとの噛み合い状態を示し、図１６は括れ部８における最小外径部８ａもしくはその近傍での中子１２における凹条部１２ｂおよび凸条部１２ｃと外型１３におけるリブ部１３ｂおよび凹溝部１３ｃとの噛み合い状態を示している。これら図１５および図１６に示すように、縦ビード９の上端部や下端部では、中子１２における凹条部１２ｂおよび凸条部１２ｃと外型１３におけるリブ部１３ｂおよび凹溝部１３ｃとの噛み合い深さが浅く、括れ部８の最小外径部８ａあるいはその近傍では、中子１２における凹条部１２ｂおよび凸条部１２ｃと外型１３におけるリブ部１３ｂおよび凹溝部１３ｃとの噛み合い深さが深くなる。したがって最小外径部８ａあるいはその近傍では、縦ビード９として折り畳まれる量が多くなるので、胴の部分の外径を小さくすることに伴う周壁部の余剰部分あるいは余肉を縦ビード９によって吸収し、その吸収量が外径の減少に応じた量になる。その結果、縦ビード９の変形や皺などの形状の異常を生じさせることなく、括れ部８と縦ビード９とを同時に成形することができる。なお、縦ビード９における稜線９ａの部分の断面形状は、中子１２における凸条部１２ｃの先端部分の断面形状に倣った丸みのある形状になり、また谷部９ｂの部分の断面形状は、外型１３におけるリブ部１３ｂの先端部分の断面形状に倣った丸みのある形状になる。
【００５２】
中子１２は粗形材１０Ａ〜１０Ｃや金属缶１に出し入れするために粗形材１０Ａ〜１０Ｃや金属缶１の外径より小さい外径に形成され、したがって中子１２が１回転以上回転するように中子１２と外型１３とを相対移動させることにより、金属缶１の外周の全体に亘って括れ部８および縦ビード９が形成される。その相対移動距離は、本発明の実施例においては、金属缶１の外周長より長い。具体的には、初期に形成された縦ビード９の数本（例えば２本）を、相対移動の終期に再度、中子１２と外型１３との間に噛み込ませることのできる距離である。この結果、設計上決められた本数の縦ビード９を形成することができるとともに、初期に成形される数本の縦ビード９の形状を整えることができる。また、終期に再加工する縦ビード９の本数が特には多くないので、加工途中の中子１２と印刷粗形材１０Ｂとの間にたとえ僅かな滑りがあっても、初期に成形された縦ビード９と外型１３のリブ部１３ｂや凹溝部１３ｃとのピッチのずれが僅かになり、縦ビード９を正確に成形することができる。
【００５３】
図９の（ｃ）に示すビード粗形材１０Ｃにネックイン加工およびフランジ成形加工を施す。ネックイン加工は、外径が上端側で次第に小さくなるようにテーパー状に成形する加工であり、フランジ成形加工は図示しない蓋を取り付けるためのフランジ部４を形成するための加工であり、これらいずれの加工も従来知られている方法で行うことができる。図９の（ｄ）にこれらの加工を施して得られた金属缶１を示してある。
【００５４】
上述した本発明の実施例による方法では、金属缶１の胴部２を外径が小さくなるように絞ると同時に一定ピッチで凹凸に曲げて（もしくは折って）括れ部８および縦ビード９を形成するから、金属缶１の内面および外面の塗膜にダメージを与えることが殆どない。そのため、塗膜の補修などの加工を省略して製造性を向上させることができる。また、括れ部８の成形と縦ビード９の成形とを同時に行うことができるので、工程数が少なくなり、また使用する金型が少なくなるので、この点でも製造性を向上させることができる。さらに、従来のビード成形のための装置における金型を上述した中子１２や外型１３に変更することにより、前述した金属缶１を成形できるので、設備を簡素化し、また製造コストを低廉化できる。
【符号の説明】
【００５５】
１…金属缶、  ２…胴部、  ６…上部円筒部、  ７…下部円筒部、  ８…括れ部、  ９…縦ビード、  ９ａ…稜線、  ８ａ…最小外径部、  ９ｂ…谷部、  Ｈｂ…（縦ビードの）高さ、  Ｈ…（金属缶の）高さ、  Ｄmin…（最小外径部の）外径、  Ｄ０…（上部円筒部や下部円筒部の）外径、  １２…中子、  １３…外型、  １２ｂ…凹条部、  １２ｃ…凸条部、  １３ａ…基板部、  １３ｂ…リブ部、  １３ｃ…凹溝部、  Ｌ…（括れ部の）長さ。
【図１】
2017214133.tif 000003
【図２】
2017214133.tif 000004
【図３】
2017214133.tif 000005
【図４】
2017214133.tif 000006
【図５】
2017214133.tif 000007
【図６】
2017214133.tif 000008
【図７】
2017214133.tif 000009
【図８】
2017214133.tif 000010
【図９】
2017214133.tif 000011
【図１０】
2017214133.tif 000012
【図１１】
2017214133.tif 000013
【図１２】
2017214133.tif 000014
【図１３】
2017214133.tif 000015
【図１４】
2017214133.tif 000016
【図１５】
2017214133.tif 000017
【図１６】
2017214133.tif 000018